(57)【要約】  【課題】意図せざる開閉動作が生じにくく、開放手段として別の部材を備えなくてもよい綴じ具並びにその綴じ具を備えたファイルを提供する。  【解決手段】表紙体１に取り付けられるベース２を、表紙体１に取り付けられるカバー部２１と、第１綴じ要素３、３及び第２綴じ要素４、４を支持する支持板部２０と、カバー部２１の側縁と支持板部２０の側縁との間に介在する折曲部２４とを板材２ａによって形成したものとして、閉塞状態において、折曲部２４とカバー部２１とが弾性変形により第１綴じ要素３、３及び第２綴じ要素４、４を開放状態とする方向の力を蓄積するように構成していることを特徴とする。  【選択図】図７
2005238615.tif 000002
【特許請求の範囲】
【請求項１】
表紙体に取り付けられるベースと、このベースに回動可能に支持されて相互に係脱することによりベースと共に閉塞状態又は開放状態を形成する一対の綴じ要素からなる綴じ部材とを具備してなるものであって、
前記ベースを、表紙体に取り付けられるカバー部と、前記一対の綴じ要素を支持する支持板部と、前記カバー部の側縁と前記支持板部の側縁との間に介在する折曲部とを一体の部材によって形成したものとして、
前記閉塞状態において、前記支持板部が前記開放状態における前記一対の綴じ要素に対応する姿勢とは異なる姿勢をとることに伴って、前記折曲部と前記カバー部とが、弾性変形により前記綴じ部材を開放状態とする方向の力を蓄積するように構成していることを特徴とする綴じ具。
【請求項２】
前記折曲部が、前記一体の部材における前記カバー部の側縁と前記支持板部の側縁との間を折り曲げた折曲箇所と、この折曲箇所に連続する切欠部とを有している請求項１記載の綴じ具。
【請求項３】
前記支持板部を、前記一体の部材の一部を折り畳んで重層することにより形成している請求項１又は２記載の綴じ具。
【請求項４】
前記綴じ部材の開閉方向に沿った前記カバー部の断面視形状が上方に凸をなすドーム状をなすものとして、
前記カバー部の内側に配置した前記支持板部に前記一対の綴じ要素の基端部を支持させるとともに、前記カバー部に前記一対の綴じ要素を挿通させる挿通孔を形成し、前記カバー部の上方において前記一対の綴じ要素の先端部同士が係り合うように構成している請求項１、２又は３記載の綴じ具。
【請求項５】
前記一体の部材が１枚の板材からなるものであって、
前記板材において、所定箇所にカバー部にあたる部位を形成し、このカバー部にあたる部位の両側縁に沿って折曲部となるべき部分を形成するとともに、これら折曲部となるべき部分の一側縁に沿ってそれぞれ支持板部となるべき部分を形成して、
前記折曲部となるべき部分を折り曲げて前記板材を塑性変形加工することにより前記ベースを形成している請求項１、２、３又は４記載の綴じ具。
【請求項６】
前記綴じ部材の先端部同士を係り合わせて閉塞状態を形成した際に、前記綴じ部材が前記ベースと共にリング状の閉ループを形成するように構成している請求項１、２、３、４又は５記載の綴じ具。
【請求項７】
前記一対の綴じ要素の先端部にそれぞれ鈎状部を形成し、対応位置にある一方の綴じ要素及び他方の綴じ要素の鈎状部同士によって、前記一対の綴じ要素を係脱可能に係り合わせる係止部を構成している請求項６記載の綴じ具。
【請求項８】
前記支持板部が、綴じ具の開閉方向に対して直交する方向に所定距離を離間させた２箇所に前記一方の綴じ要素を支持するとともに前記一方の綴じ要素に対応付けて前記他方の綴じ要素を支持するものであり、前記一方の綴じ要素の先端部に外向きの鈎状部を形成しているとともに前記他方の綴じ要素の先端部に内向きの鈎状部を形成して、前記外向きの鈎状部と前記内向きの鈎状部とによって構成される２つの係止部が互いに対向するようにしている請求項７記載の綴じ具。
【請求項９】
前記支持板部が、前記一対の綴じ要素のうち一方の綴じ要素を綴じ具の開閉方向に対して直交する方向に所定距離を離間させて複数支持するとともに、それぞれの前記一方の綴じ要素に対応づけて他方の綴じ要素を複数支持している請求項１、２、３、４、５、６又は７記載の綴じ具。
【請求項１０】
表紙体と、この表紙体に取り付けられる綴じ具とを具備し、該綴じ具に、表紙体に取り付けられるベースと、このベースに回動可能に支持されて相互に係脱することによりベースと共に閉塞状態又は開放状態を形成する一対の綴じ要素からなる綴じ部材とを具備させてなるものであって、
前記ベースを、表紙体に取り付けられるカバー部と、前記一対の綴じ要素を支持する支持板部と、前記カバー部の側縁と前記支持板部の側縁との間に介在する折曲部とを一体の部材によって形成したものとして、
前記閉塞状態において、前記支持板部が前記開放状態における前記一対の綴じ要素に対応する姿勢とは異なる姿勢をとることに伴って、前記折曲部と前記カバー部とが、弾性変形により前記綴じ部材を開放状態とする方向の力を蓄積するように構成していることを特徴とするファイル。
【請求項１１】
前記折曲部が、前記一体の部材における前記カバー部の側縁と前記支持板部の側縁との間を折り曲げた折曲箇所と、この折曲箇所に連続する切欠部とを有している請求項１０記載のファイル。
【請求項１２】
前記支持板部を、前記一体の部材の一部を折り畳んで重層することにより形成している請求項１０又は１１記載のファイル。
【請求項１３】
前記綴じ部材の開閉方向に沿った前記カバー部の断面視形状が上方に凸をなすドーム状をなすものとして、
前記カバー部の内側に配置した前記支持板部に前記一対の綴じ要素の基端部を支持させるとともに、前記カバー部に前記一対の綴じ要素を挿通させる挿通孔を形成し、前記カバー部の上方において前記一対の綴じ要素の先端部同士が係り合うように構成している請求項１０、１１又は１２記載のファイル。
【請求項１４】
前記一体の部材が１枚の板材からなるものであって、
前記板材において、所定箇所にカバー部にあたる部位を形成し、このカバー部にあたる部位の両側縁に沿って折曲部となるべき部分を形成するとともに、これら折曲部となるべき部分の一側縁に沿ってそれぞれ支持板部となるべき部分を形成して、
前記折曲部となるべき部分を折り曲げて前記板材を塑性変形加工することにより前記ベースを形成している請求項１０、１１、１２又は１３記載のファイル。
【請求項１５】
前記綴じ部材の先端部同士を係り合わせて閉塞状態を形成した際に、前記綴じ部材が前記ベースと共にリング状の閉ループを形成するように構成している請求項１０、１１、１２、１３又は１４記載のファイル。
【請求項１６】
前記一対の綴じ要素の先端部にそれぞれ鈎状部を形成し、対応位置にある一方の綴じ要素及び他方の綴じ要素の鈎状部同士によって、前記一対の綴じ要素を係脱可能に係り合わせる係止部を構成している請求項１５記載のファイル。
【請求項１７】
前記支持板部が、綴じ具の開閉方向に対して直交する方向に所定距離を離間させた２箇所に前記一方の綴じ要素を支持するとともに、前記一方の綴じ要素に対応付けて前記他方の綴じ要素を支持するものであり、前記一方の綴じ要素の先端部に外向きの鈎状部を形成しているとともに前記他方の綴じ要素の先端部に内向きの鈎状部を形成して、前記外向きの鈎状部と前記内向きの鈎状部とによって構成される２つの係止部が互いに対向するようにしている請求項１６記載のファイル。
【請求項１８】
前記支持板部が、前記一対の綴じ要素のうち一方の綴じ要素を綴じ具の開閉方向に対して直交する方向に所定距離を離間させて複数支持するとともに、それぞれの前記一方の綴じ要素に対応づけて他方の綴じ要素を複数支持している請求項１０、１１、１２、１３、１４、１５又は１６記載のファイル。
【発明の詳細な説明】
【技術分野】
【０００１】
本発明は、書類等を綴じるための綴じ具及びその綴じ具が適用されるファイルに関するものである。
【背景技術】
【０００２】
従来より、書類を綴じるためのファイルやバインダ等に用いられる綴じ具が、種々案出されている。このような綴じ具のうち、いわゆるリング式綴じ具と呼ばれるものは、ファイル等の背表紙若しくはこれの近傍に固定されるベースと、このベースの長手方向の２箇所に設けられた第１綴じ要素と、これら第１綴じ要素の反対側に位置してこの第１綴じ要素の先端部に突き当たる第２綴じ要素とにより構成されているのが通例である。一例として、このベースを、カバーと第１綴じ要素及び第２綴じ要素を支持する第１連結板及び第２連結板とによって構成したものが考えられている。このものにおいて、第１連結板及び第２連結板は、カバーの短寸方向の両側端部における折り曲げ部位に単純に差し込んで外側端部を脱落不能に保持させており、カバーの内部において内側端部同士を係り合わせてカバーに保持された状態で外側端部側を支点に相対角度が変化するように構成されている。具体的には、第１綴じ要素及び第２綴じ要素の基部側は、第１連結板及び第２連結板にそれぞれ連結しており、これにより、第１綴じ要素及び第２綴じ要素は、それぞれ同時に開閉する方向に回動可能とされている。そして、第１綴じ要素及び第２綴じ要素の先端部を突き当てて閉塞状態を形成した際に、前記第１連結板及び第２連結板は、相互に係り合わされた部位を境に若干下方に下がる谷形の姿勢をとり閉塞状態を維持する方向の力を蓄積しており、また、前記第１綴じ要素及び第２綴じ要素の先端部を離間させて開放状態を形成した際に、前記第１連結板及び第２連結板は、相互に係り合わされた部位を境に上方に上がる山形の姿勢となり開放状態を維持する方向の力を蓄積している。すなわち、第１綴じ要素と第２綴じ要素の閉塞状態と開放状態との中間状態においては、第１連結板と第２連結板とが、谷形又は、山形のいずれの姿勢をも取り得るように力が拮抗する思案点が存在しており、この思案点を境にして第１綴じ要素及び第２綴じ要素とが自動的に閉鎖状態又は開放状態となるように構成されている。そのため、第１綴じ要素及び第２綴じ要素には、閉鎖状態から開放状態とする際、又は逆に開放状態から閉鎖状態とする際の何れにおいても前記思案点までは操作力を加える必要があり、しかも思案点を超えると勢いよく閉鎖状態又は開放状態となることになる。このため、綴じ具の操作に慣れて当該思案点を感覚的に把握できるまでは、動作の意図とは逆方向へ第１綴じ要素及び第２綴じ要素が作動する可能性があった。
【０００３】
そこで、前述したような不具合を解消するものとして、第１綴じ要素及び第２綴じ要素とに相互に開放状態とする方向のみ作用力を蓄積するように構成した綴じ具が考えられている（例えば特許文献１参照）。この綴じ具は、上述した綴じ具と略同様に、カバーと、カバーとは別体の部材である第１連結部及び第２連結部とからなるベースと、相互に対をなす第１綴じ要素及び第２綴じ要素とから構成したものであるが、さらにベースには、第１綴じ要素及び第２綴じ要素の係り合いを解除する方向にのみ作用力を付与するための開放手段となるコイルバネ、板バネ又は線状バネ等を設けた構成を採用している。すなわちこのような開放手段は、第１綴じ要素と第２綴じ要素とが開放状態となる第１連結板及び第２連結板を山形の姿勢とするように力を付与すべく設けられたものである。そのため、閉鎖状態と開放状態との間には思案点が存在しないので、閉鎖状態にある第１綴じ要素と第２綴じ要素との係り合いを動作力により解除するのみで開放状態とすることができ、逆に開放状態にある第１綴じ要素及び第２綴じ要素を綴じる際には、これら第１綴じ要素と第２綴じ要素とが係合するまで綴じるという意図を持って継続的に動作力を加えることとなる。その結果、第１綴じ要素と第２綴じ要素との意図せざる開閉動作が生じにくく操作性が従来のものより向上しているといえる。
【特許文献１】特開２００３−２５１９７３号公報
【発明の開示】
【発明が解決しようとする課題】
【０００４】
ところが、このような構成の綴じ具であると、カバーにそれとは別部材である第１連結板及び第２連結板を取り付けることに加えて、開放手段としてのコイルバネ、板バネ、線状バネ等の弾性部材を設ける必要があり、綴じ具の部品点数が多くなり、その部材の調達や、それらの部材を綴じ具に設けるための部位の形成や組み付け等に要するコストが増加する。また、前記開放手段であるコイルバネ、板バネ、線状のバネ等が、破損や、無理な使用や長期使用による損耗等によって開放手段として機能しなくなった場合には、第１綴じ要素及び第２綴じ要素の先端部の係り合わせを解除してもスムーズに開放状態を形成することが困難となり、また、閉塞状態を形成する際には、第１連結板及び第２連結板に蓄積する開放状態を維持する方向の力が閉塞状態を維持する方向の力に強制的に変位させないとならなくなるためにスムーズに閉塞状態を形成することが困難となる。さらに、開放手段が全く機能しなくなると、開放手段を有さない先述の従来品と実質的に全く同様の構成となってしまい、折角解消させた従来品の不具合が現出してくる。
【０００５】
そこで本発明は、以上のような問題に鑑みて、過大な操作力を必要とすることなく軽い力でスムーズに第１綴じ要素及び第２綴じ要素の開閉作業を行うことができるように操作性を向上させるとともに、部品点数を大幅に削減した綴じ具並びにその綴じ具を備えたファイルを提供することを主たる目的としている。
【課題を解決するための手段】
【０００６】
本発明は、このような目的を達成するために、次のような手段を講じたものである。すなわち、本発明に係る綴じ具及びファイルは、表紙体に取り付けられるベースと、このベースに回動可能に支持されて相互に係脱することによりベースと共に閉塞状態又は開放状態を形成する一対の綴じ要素からなる綴じ部材とを具備してなるものであって、前記ベースを、表紙体に取り付けられるカバー部と、前記一対の綴じ要素を支持する支持板部と、前記カバー部の側縁と前記支持板部の側縁との間に介在する折曲部とを一体の部材によって形成したものとして、前記閉塞状態において、前記支持板部が前記開放状態における前記一対の綴じ要素に対応する姿勢とは異なる姿勢をとることに伴って、前記折曲部と前記カバー部とが、弾性変形により前記綴じ部材を開放状態とする方向の力を蓄積するように構成していることを特徴とする。
【０００７】
また、本発明に係るファイルは、表紙体と、この表紙体に取り付けられる上述した綴じ具とを具備してなるものである。
【０００８】
このようなものであれば、ベースを構成するカバー部、支持板部及び折曲部を一体に構成しているために綴じ具の部品点数を少なく構成できるとともに組立工数も少なくすることができる。また、ベース自体の構成要素である折曲部及びカバー部が弾性変形するためバネや他の開放手段を特に用いなくてもよいこととなり、コストダウンと部品点数の削減とを有効に図ることができる。また、閉鎖状態と開放状態との間には思案点が存在しないので、閉鎖状態にある一対の綴じ要素の係り合いを解除すれば開放状態とすることができ、逆に開放状態にある一対の綴じ要素を綴じる際には、一対の綴じ要素が係合するまで綴じるという意図を持って継続的に動作力を加えることとなる。その結果、一対の綴じ要素の意図せざる開閉動作が生じることがない。
【０００９】
綴じ部材の回動動作に合わせて支持板部の姿勢を好適に変更させることができるとともに、折曲部の曲がり易さを調節できるようにするためには、前記折曲部が、前記一体の部材における前記カバー部の側縁と前記支持板部の側縁との間を折り曲げた折曲箇所と、この折曲箇所に連続する切欠部とを有しているものが望ましい。
【００１０】
また、前記綴じ部材を確実に支持させる強度を容易に増強するためには、前記支持板部を、前記一体の部材の一部を折り畳んで重層することにより形成していることが望ましい。
【００１１】
綴じ具の外観を向上させるとともに安定して動作させるためには、前記綴じ部材の開閉方向に沿った前記カバー部の断面視形状が上方に凸をなすドーム状をなすものとして、前記カバー部の内側に配置した前記支持板部に前記一対の綴じ要素の基端部を支持させるとともに、前記カバー部に前記一対の綴じ部材を挿通させる挿通孔を形成し、前記カバー部の上方において前記一対の綴じ要素の先端部同士が係り合うように構成しているものを挙げることができる。
【００１２】
一体の部材から容易にベースを形成できるようにするためには、前記一体の部材が１枚の板材からなるものであって、前記板材において、所定箇所にカバー部に該当する部位を形成し、このカバー部にあたる部位の両側縁に沿って折曲部となるべき部分を形成するとともに、これら折曲部となるべき部分の一側縁に沿ってそれぞれ支持板部となるべき部分を形成して、前記折曲部にあたる部位を折り曲げて前記板材を塑性変形加工することにより前記ベースを形成しているものであることが望ましい。
【００１３】
以上のような綴じ具の構成を利用して、使いやすいリング式の綴じ具を構成するためには、前記綴じ部材の先端部同士を係り合わせて閉塞状態を形成した際に、前記綴じ部材が前記ベースと共にリング状の閉ループを形成するように構成しているものであることが望ましい。
【００１４】
特にこのようなリング式の綴じ具の場合に生じ易い、前記思案点の存在が存在することによって起こる意図せざる開閉動作は前記綴じ部材の先端部が解除され開放状態となる方向の力をベースに蓄積させることで解消できる。
【００１５】
また、閉ループを簡単に、且つ、確実に形成するためには、前記一対の綴じ要素の先端部にそれぞれ鈎状部を形成し、対応位置にある一方の綴じ要素及び他方の綴じ要素の鈎状部同士によって、前記一対の綴じ要素を係脱可能に係り合わせる係止部を構成しているものが好ましい。
【００１６】
特に、本発明を２つ穴の綴じ具に対して適用する場合に、先端部の係り合いを片手で軽い力で簡単に解除し開放状態とすることができるものとするためには、閉塞状態から開放状態にする際に前記支持板部が、綴じ具の開閉方向に対して直交する方向に所定距離を離間させた２箇所に前記一方の綴じ要素を支持するとともに前記一方の綴じ要素に対応付けて前記他方の綴じ要素を支持するものであり、前記一方の綴じ要素の先端部に外向きの鈎状部を形成しているとともに前記他方の綴じ要素の先端部に内向きの鈎状部を形成して、前記外向きの鈎状部と前記内向きの鈎状部とによって構成される２つの係止部が互いに対向するようにしているものであることが望ましい。ここにいう「互いに対向する」とは、２箇所に設けられた係止部が、綴じ具の開閉方向に直交する方向に正対しているものに限られず、相対的に若干変異して位置するものであっても「互いに対向する」に含まれるものとする。
【００１７】
そして、本発明に係る綴じ具を、書類等に設けた綴じ穴の数に適宜対応したものとするためには、前記支持板部が、前記一対の綴じ要素のうち一方の綴じ要素を綴じ具の開閉方向に対して直交する方向に所定距離を離間させて複数支持するとともに、それぞれの前記一方の綴じ要素に対応づけて他方の綴じ要素を複数支持しているものであることが望ましい。
【発明の効果】
【００１８】
本発明によれば、ベースを構成するカバー部、支持板部及び折曲部を単一の部材から構成しているために綴じ具の部品点数を少なく構成できるとともに組立工数も少なくすることができる。また、ベース自体の構成要素である折曲部及びカバー部自体が弾性変形するためバネや他の開放手段を特に用いなくてもよいこととなり、コストダウンと部品点数の削減とを有効に図ることができる。また、閉鎖状態と開放状態との間には思案点が存在しないので、閉鎖状態にある一対の綴じ要素の係り合いを解除すれば開放状態とすることができ、逆に開放状態にある第１綴じ要素及び第２綴じ要素を綴じる際には、一対の綴じ要素が係合するまで綴じるという意図を持って継続的に動作力を加えることとなる。その結果、一対の綴じ要素の意図せざる開閉動作が生じることがない。
【発明を実施するための最良の形態】
【００１９】
以下、本発明の一実施の形態について図面を参照して説明する。
【００２０】
図１に示すように、この実施形態に係るファイルＦは、綴じ穴を設けた書類等をその内側に綴じ込むことにより、書類等を整理・保管するために使用されるものであって、背表紙１１、表表紙１２及び裏表紙１３を備えた表紙体１と、背表紙１１の内面に装着された綴じ具Ｔとから構成したものである。
【００２１】
この綴じ具Ｔは、表紙体１に取り付けられるベース２と、ベース２に支持されるとともに書類等に設けた綴じ穴を挿通する綴じ部材Ｔ１によって構成されている。ここで、綴じ部材Ｔ１は、一対の綴じ要素（第１綴じ要素３、第２綴じ要素４）により構成されるものであり、これら第１綴じ要素３と第２綴じ要素４は、それらの先端部３１、４１同士の間に形成される係止部５を介して係脱可能に係わり合うことにより、ベース２とともに閉ループを構成する。本実施形態のファイルＦは、このような綴じ部材Ｔ１を通常の２穴穿孔用パンチによって形成される綴じ穴の規格に合わせて所定距離離間させて２組有しており、いわゆる２穴式のリング式ファイルとして用いられる。詳細には、ベース２は背表紙１１の長手方向に沿って延びる細長い形状を有し裏表紙１３における背表紙１１近傍においてリベットＬを介して取り付けられており、このベース２のうち背表紙１１に近い側において、綴じ部材Ｔ１を構成している一方の綴じ要素たる第１綴じ要素３、３が支持されているとともに、裏表紙１３の先端側において同じく綴じ部材Ｔ１を構成している他方の綴じ要素たる第２綴じ要素４、４がそれぞれ支持されている。
【００２２】
またこのようなベース２は、図２に示すように、例えば薄肉のステンレス材からなる一体の部材たる１枚の板材２ａを塑性変形加工することによってなるものである。この板材２ａは、平面視長方形状の両短辺における中央部分からそれぞれ対称となるように概略半円状に突出させた部位を有する形状をなすものである。そして板材２ａは、長辺と同方向（以下、これを上下方向と呼ぶ）に延びる複数の折り線と、打ち抜きなどにより設けられた複数の穴とをそれぞれ具備している。
【００２３】
前記折り線として、第１折り曲げ線２４１、第２折り曲げ線２４２及び折畳線２０１を左右対称に設けている。第１折り曲げ線２４１は、上下に概略半円状に突出した部分の基端同士を上下方向に結ぶように設けてなるものである。第２折り曲げ線２４２は、第１折り曲げ線２４１より若干側端よりに設けてなるものである。折畳線２０１は第２折り曲げ線から側端までを略２等分する位置に設けてなるものである。
【００２４】
また、前記複数の穴として、リベット穴２１ｂ、挿通孔２１ｃ、開口部２４３、補助開口２０２及び固定穴２０３を上下左右対称となるように形成している。リベット穴２１ｂは、上述した板材２ａの上下方向に突出する箇所における最上端部及び最下端部付近にそれぞれ形成してなる。挿通孔２１ｃは、第１折り曲げ線２４１の若干内側において、それぞれ２箇所ずつ計４箇所に形成してあり、上下方向には上述した綴じ部材Ｔ１、Ｔ１の配置位置に対応して所定距離離間させている。開口部２４３は、上下端が半円状をなす縦長スリット状の穴であり、第１折り曲げ線２４１と第２折り曲げ線２４２との間に亘ってそれぞれ２箇所ずつ計４箇所に形成されている。補助開口２０２は前記開口部２４３と同形状をなすとともに、開口部２４３と上下方向に位相を等しくして、巾方向中心を折畳線２０２と同じくするように形成されてある。また、固定穴２０３はその大きさを第１綴じ部材３及び第２綴じ部材４の軸径よりも小さく設けたものであり、上下方向には上述した挿通孔２１ｃと位相を等しくして形成されており、上下左右においてそれぞれ折畳線２０１から等間隔離間させて２箇所ずつ、計８箇所に形成されている。
【００２５】
この板材２ａにおいて、１対の第１折り曲げ線２４１、２４１同士に挟まれた巾方向中央部分を、カバー部２１にあたる部位たるカバー部形成領域２１ａとしている。また、このカバー部形成領域２１ａの両側に位置する部位、すなわち前記１対の第１折り曲げ線２４１、２４１と第２折り曲げ線２４２、２４２との間の部分をそれぞれ折曲部形成領域２４ａ、２４ａとしている。なお、同図ではこの折曲部形成領域２４ａ、２４ａに斜線を付して示している。そして、第２折り曲げ線２４２、２４２から板材２ａの側端までの部位をそれぞれ支持板部形成領域２０ａ、２０ａとしている。
【００２６】
そして、カバー部形成領域２１ａをプレス加工するとともに、折畳線２０３の位置で支持板部形成領域２０ａを折り畳んで対応する固定穴２０３、２０３同士を連通させるように重ねるとともに、折曲部形成領域２４ａを湾曲並びに折曲することによって、板材２ａからベース２を得るものとしている。なお、開口部２４３及び補助開口２０２を形成することにより、塑性変形加工する際の湾曲、折曲並びに折り畳み作業を省力的に行うことを可能としている。
【００２７】
このようにして形成されたベース２は、図１、図３、図４及び図５に示すように、表紙体１に取り付けられるカバー部２１と、第１綴じ要素３、３及び第２綴じ要素４、４を支持する支持板部２０と、前記カバー部２１の側縁と前記支持板部２０の側縁との間に介在する折曲部２４とによって構成されている。
【００２８】
カバー部２１は、ベース２のうち裏表紙１３に直接取り付けられる部分であって、ベース２の長手方向に直交する方向に沿ったカバー部２１の断面視形状が上方に凸をなすドーム状をなすように上述したカバー部形成領域２１ａをプレス加工され、その内部に内部空間２ｓを有している。詳細には、このカバー部２１の上壁２１ｇは、中央部が最大高さとなる湾曲形状をした細長いドーム状の形態をなしており、この上壁２１ｇの長手方向の両端部には裏表紙１３に当接して取り付けられる一対の段押しされた取付面部２１ｂ１、２１ｂ１を、リベット穴２１ｂ、２１ｂがその中心に位置付けられるように設けている。また、上述した挿通孔２１ｃのうち、カバー部２１の一方の側縁に沿っているものを第１綴じ要素３、３を挿通させるための第１挿通孔２１ｄ、２１ｄとして所定距離を離間させて２箇所に位置付けるとともに、カバー部２１の他方の側縁に沿っているものを前記第１挿通孔２１ｄ、２１ｄに対応付けて第２綴じ要素４、４を挿通させるための第２挿通孔２１ｅ、２１ｅとしている。第１挿通孔２１ｄ、２１ｄ及び第２挿通孔２１ｅ、２１ｅは塑性変形加工後のカバー部２１においては、上壁２１ｇの中央部近傍から側縁近傍に亘って設けられた丸穴となっており、これにより、第１綴じ要素３、３及び第２綴じ要素４、４の回転角度を大きく確保し得るものとしている。
【００２９】
折曲部２４は上述したように折曲部形成領域２４ａを湾曲並びに折曲した部分であって、カバー部２１の両側縁と支持板部２０の側縁との間に介在しており、本実施形態において、カバー部２１の両側縁に沿って設けられた折曲箇所たる第１折り曲げ線２４１と、支持板部２０の側縁に沿って設けられた折曲箇所たる第２折り曲げ線２４２と、これら第１折り曲げ線２４１及び第２折り曲げ線２４２に連続する、切欠部たる開口部２４３とを含んでいる。
【００３０】
支持板部２０は、カバー部２１が形成するドーム状の内部空間２ｓ内に配置され、且つ第１綴じ部材３、３及び第２綴じ部材４、４を支持している。この支持板部２０のうち、第１綴じ要素３、３を支持しているものを第１支持板２２とし、第２綴じ部材４、４を支持しているものを第２支持板２３としている。またそれに応じて図２における折畳線２０１及び補助開口２０２は、図５においてそれぞれ折畳線２２１、２３１及び補助開口２２２、２３２としている。
【００３１】
第１綴じ要素３、３及び第２綴じ要素４、４は、図３、図４、図６及び図７に示すように、断面楕円形状の線材を曲げることにより形成したものである。詳細には、第１綴じ要素３、３を正面視略半円弧状とする一方、第２綴じ要素４、４を正面視略コの字状とすることにより、閉塞状態において構成される閉ループが正面視略Ｄリング状をなすように構成している。また、第１綴じ要素３、３及び第２綴じ要素４、４の基端部３２、３２、４２、４２を、第１支持板２２及び第２支持板２３において第１折り曲げ線２４１及び第２折り曲げ線２４２の延びる方向に沿って所定距離を離間させた２箇所に位置する固定穴２０３をそれぞれ貫通させて当該貫通した部分を押しつぶすことで上下方向よりかしめることによって第１支持板２２及び第２支持板２３に固定している。そして、第１綴じ要素３、３及び第２綴じ要素４、４は、基端部３２、３２、４２、４２近傍において第１挿通孔２１ｄ、２１ｄ及び第２挿通孔２１ｅ、２１ｅをそれぞれ挿通している。一方、第１綴じ要素３、３及び第２綴じ要素４、４の先端部３１、３１、４１、４１を相互に係脱可能に係り合わせられるようにしている。詳細には、綴じ具Ｔの開閉方向に対して直交する方向に互いに対向するように設けた第１綴じ要素３、３の先端部３１、３１には互いに離反する方向へ向く外向きの鈎状部３１ａ、３１ａを設けるとともに、綴じ具Ｔの開閉方向に対して直交する方向に互いに対向するように設けた第２綴じ要素４、４の先端部４１、４１には互いに向き合う内向きの鈎状部４１ａ、４１ａを設けていることで、第１綴じ要素３、３及び第２綴じ要素４、４の先端部３１、３１、４１、４１との間に２つの係止部５を形成している。そして、この２つの係止部５、５は、綴じ具Ｔの開閉方向に対して直交する方向に互いに対向するように位置している。
【００３２】
次に、図７（ａ）及び図７（ｂ）に示すように、支持板部２０を構成する第１支持板２２及び第２支持板２３は、カバー部２１の側縁から延びる折曲部２４が内方へ折り曲げられることにより、カバー部２１の内部において形成された内部空間２ｓ内に位置している。詳細には、折曲部２４を構成する第１折り曲げ線２４１、２４１を湾曲させて上方へ折り返すことにより、第２折り曲げ線２４２、２４２がカバー部２１の内壁に近接するように設定している。その内壁に接した位置において、第２折り曲げ線２４２、２４２をそれぞれ屈曲させることにより、第１支持板２２及び第２支持板２３の位置及び姿勢を決定している。
【００３３】
第１綴じ要素３、３及び第２綴じ要素４、４は、その先端部３１、３１、４１、４１同士を相互に係り合わせることによって図７（ａ）に示すようにベース２とともに閉ループを形成した閉塞状態となるとともに、第１支持板２２及び第２支持板２３は、第２折り曲げ線２４２を基端として若干下方へ傾斜することにより谷形の姿勢となる。一方、開放状態において第１支持板２２及び第２支持板２３は、それぞれ図７（ｂ）に示すように略水平の姿勢となる。
【００３４】
第１綴じ要素３、３及び第２綴じ要素４、４を開放状態から閉塞状態にするためには、第１綴じ要素３、３及び第２綴じ要素４、４を指で摘むなどの外力により相互に接近させる方向に回動させる。このとき、第１綴じ要素３、３と第２綴じ要素４、４に対する前記外力は第１支持板２２及び第２支持板２３を介して折曲部２４、すなわち第１折り曲げ線２４１及び第２折り曲げ線２４２に伝達されるとともに第１折り曲げ線２４１及び第２折り曲げ線２４２が折り曲げられることにより第１支持板２２及び第２支持板２３の姿勢が略水平の姿勢から谷形の姿勢へ変化する。さらに、前記外力は折曲部２４を介してカバー部２１の上壁２１ｇにも伝達されることにより、上壁２１ｇは押し広げられるように外側方へ若干弾性変形する。つまり、折曲部２４及びカバー部２１は、第１綴じ要素３、３及び第２綴じ要素４、４を相互に接近させる方向に回動させる過程において、前記外力に対する反力として、第１綴じ要素３、３及び第２綴じ要素４、４を開放状態とする方向への作用力を蓄積するよう機能している。
【００３５】
さらに、第１綴じ要素３、３に形成された外向きの鈎状部３１ａ、３１ａ及び第２綴じ要素４、４に形成された内向きの鈎状部４１ａ、４１ａが相互に滑りながら係り合って係止部５を形成することにより閉塞状態となる。このとき、前記係止部５により第１綴じ要素３、３及び第２綴じ要素４、４が係り合っている力が、折曲部２４及びカバー部２１が蓄積している作用力以上であるため、当該閉塞状態が維持されて、不用意な開放状態を形成することがない。すなわち、閉塞状態において、折曲部２４及びカバー部２１は第１綴じ要素３、３及び第２綴じ要素４、４を開放状態とする方向への作用力を蓄積した状態を維持している。なお、支持板部２０である第１支持板２２及び第２支持板２３は上述の通り板材２ａを２重に重層しているのでカバー部２１及び折曲部２４よりも強度が高いため、前記外力によっては殆ど変形せず、専ら前記外力を折曲部２４及びカバー部２１に伝達する役割を担っている。
【００３６】
一方、閉塞状態から開放状態とする場合には、外向きの鈎状部３１ａ、３１ａを形成している第１綴じ要素３、３の各先端部３１、３１近傍に、例えば図示しないが親指と人差し指を外側から跨ぐように掛け、両指を相互に接近させる方向（図２中矢印Ｐ方向）に軽く操作力を付与して係止部５を解除する。そうすることにより、折曲部２４及びカバー部２１に蓄積された前記作用力によって第１綴じ要素３、３と第２綴じ要素４、４とが自動的に回動して開放状態となる。
【００３７】
以上のような構成とすることにより、本実施形態に係るファイルＦの綴じ具Ｔは、閉塞状態において、支持板部２０を構成する第１支持板２２及び第２支持板２３が開放状態における一対の綴じ要素たる第１綴じ要素３、３及び第２綴じ要素４、４に対応する略水平の姿勢とは異なる谷形の姿勢をとることに伴って、折曲部２４とカバー部２１とが、弾性変形により綴じ部材たる第１綴じ要素３、３及び第２綴じ要素４、４を開放状態とする方向の力を蓄積することとなる。
【００３８】
そして、ベース２を構成するカバー部２１、支持板部２０及び折曲部２４を一体に構成しているために、綴じ具Ｔの部品点数を可及的に少なく構成できるとともに組立工数も少なくすることができる。また、ベース２自体の構成要素である折曲部２４及びカバー部２１が弾性変形するためバネや他の開放手段を特に用いなくてもよいこととなり、コストダウンと部品点数の削減とを有効に図ることができる。また、閉鎖状態にある第１綴じ要素３、３に対して、軽く動作力を加えて第１綴じ要素３、３と第２綴じ要素４、４との係合を解除するのみで開放状態とすることができる。逆に開放状態にある第１綴じ要素３、３及び第２綴じ要素４、４を綴じる際には、これら第１綴じ要素３、３と第２綴じ要素４、４とが係合するまで綴じるという意図を持って継続的に動作力を加えることとなるので、第１綴じ要素３、３と第２綴じ要素４、４との意図せざる開閉動作が生じることがない。そして、カバー部２１及び折曲部２４には閉塞状態において開放状態とする方向の反力が蓄積されているので、第１綴じ要素３、３及び第２綴じ要素４、４の係合を解除するだけで綴じ具Ｔを開放状態にすることができる。
【００３９】
また、本実施形態に係る綴じ具Ｔ及びファイルＦは、折曲部２４が、折曲箇所たる第１折り曲げ線２４１及び第２折り曲げ線２４２と、この第１折り曲げ線２４１及び第２折り曲げ線２４２に連続する切欠部たる開口部２４３とを有しているので、第１綴じ要素３、３及び第２綴じ要素４、４に掛かる力を第１折り曲げ線２４１及び第２折り曲げ線２４２に集中させることができ、外力により閉塞状態とする際に第１折り曲げ線２４１及び第２折り曲げ線２４２をカバー部２１や支持板部２０に比して優先的に弾性変形させることができる。そして、開口部２４３の形状、特に長手方向の寸法を適宜設定して第１折り曲げ線２４１及び第２折り曲げ線２４２の長さを設定すれば、折曲部２４の曲がり易さを調節することができる。そうすることにより、第１綴じ要素３、３及び第２綴じ要素４、４の回動動作に合わせて支持板部２０の姿勢を好適に変更させることができるとともに、綴じ具Ｔを閉塞状態とするために必要な外力を使用者が扱いやすいように設定することができる。加えて、開口部２４３を形成することにより、ベース２を成形する際の、折曲部２４に係る板材２ａの折り曲げ工程を省力的に行うことを可能としている。
【００４０】
そして、本実施形態に係るファイルＦの綴じ具Ｔは、板材２ａに折畳線２０１、２２１、２３１を折り畳んで重層することにより支持板部２０の強度を増強させているので、重層しない場合には不要な撓みが生じる可能性のある比較的薄肉な板材２ａを採用しても、第１綴じ要素３、３及び第２綴じ要素４、４を確実に支持できる支持板部２０を形成することができる。
【００４１】
さらに、第１綴じ要素３、３及び第２綴じ要素４、４の開閉方向に沿ったカバー部２１の断面視形状が上方に凸をなすドーム状をなすものとして、カバー部２１の内側に配置した支持板部２０に第１綴じ要素３、３及び第２綴じ要素４、４の基端部３２、３２、４２、４２を支持させるとともに、カバー部２１に第１綴じ要素３、３及び第２綴じ要素４、４を挿通させる挿通孔たる第１挿通孔２１ｄ、２１ｄ及び第２挿通孔２１ｅ、２１ｅを形成し、カバー部２１の上方において第１綴じ要素３、３及び第２綴じ要素４、４の先端部３１、３１、４１、４１同士が係り合うように構成しているので、外部に露出されるのはカバー部２１と、第１綴じ要素３、３及び第２綴じ要素４、４のみとなり、綴じ具Ｔの外観が向上するとともに、支持板部２０を外部から干渉されることなくカバー部２１の内部空間２ｓ内で安定して動作させることができる。また、カバー部２１の形状を上方に凸をなすドーム状とすることにより、内部空間２ｓを保持しながら、支持板部２０の動きに応じて撓ませることが可能となる。
【００４２】
本実施形態に係るファイルＦの綴じ具Ｔにおいては、ベース２を形成するための一体の部材を１枚の板材２ａとしている。そしてこの板材２ａにおいて、巾方向中央にカバー部形成領域２１ａを形成し、このカバー部形成領域２１ａの両側縁に沿って折曲部形成領域２４ａ、２４ａを形成するとともに、これら折曲部形成領域２４ａ、２４ａの一側縁に沿ってそれぞれ支持板部形成領域２０ａ、２０ａ、すなわち第１支持板２２及び第２支持板２３となるべき部分を形成して、折曲部形成領域２４ａ、２４ａを適宜折り曲げ及び塑性変形加工することによりベース２を形成しているので、１枚の板材２ａから有用な綴じ具Ｔを構成できるベース２を容易に形成することが可能となる。
【００４３】
また、第１綴じ要素３、３及び第２綴じ要素４、４がベース２と共にリング状の閉ループを形成することにより、所謂リング式の綴じ具Ｔを構成しているので、従来のリング式の綴じ具の場合に生じ易い、前記思案点が存在することによって起こる意図せざる開閉動作は、第１綴じ要素３、３及び第２綴じ要素４、４の先端部３１、３１、４１、４１の係り合いが解除され開放状態となる方向の力をベース２に蓄積させることで解消できる。
【００４４】
そして、第１綴じ要素３、３及び第２綴じ要素４、４の先端部３１、３１、４１、４１にそれぞれ外向きの鈎状部３１ａ、３１ａ及び内向きの鈎状部４１ａ、４１ａを形成して、第１綴じ要素３、３及び第２綴じ要素４、４を係脱可能に係り合わせる係止部５を構成しているので、第１綴じ要素３、３及び第２綴じ要素４、４にて閉ループを簡単に、且つ、確実に形成することができる。一方、係止部５を解除して閉塞状態から開放状態とする場合には、外向きの鈎状部３１ａ、３１ａを相互に接近させる方向（図２中矢印Ｐ方向）に軽く操作力を付与するのみで、折曲部２４及びカバー部２１に蓄積された第１綴じ要素３、３及び第２綴じ要素４、４を開放状態とする方向への作用力によって第１綴じ要素３、３と第２綴じ要素４、４とが自動的に回動して開放状態とすることができる。
【００４５】
特に、本実施形態において、綴じ具Ｔの開閉方向に対して直交する方向に互いに対向するように設けた第１綴じ要素３、３の先端部３１、３１に外向きの鈎状部３１ａ、３１ａを形成する一方で、この鈎上部３１ａ、３１ａと係り合う内向きの鈎状部４１ａ、４１ａを第２綴じ要素４、４の先端部４１、４１に形成して、外向きの鈎状部３１ａ、３１ａと内向きの鈎状部４１ａ、４１ａとによって構成される２つの係止部５、５が綴じ具Ｔの開閉方向に対して直交する方向に互いに対向するようにしているので、閉塞状態から開放状態にする際に、先端部３１、３１、４１、４１の係り合いを片手で軽い力で簡単に解除し開放状態とすることができる。また、それぞれの第１綴じ要素３、３及び第２綴じ要素４、４が互いに相反する方向を向いているため、綴じ具Ｔと綴じている書類等との相対的な位置変化によって先端部３１、３１、４１、４１の係り合いが解除されてしまうということはない。
【００４６】
以上、本発明の一実施形態について説明したが、各部の具体的な構成は、上述した実施形態のみに限定されるものではない。
【００４７】
例えば、図８の拡大図ように、ねじ加工を施した基端部３２ａ、４２ａを第１綴じ要素３及び第２綴じ要素４にそれぞれ設けるとともに、基端部３２ａ、４２ａとナット部材ｎとを螺合することにより、第１支持板２２ａ及び第２支持板２３ａに第１綴じ要素３及び第２綴じ要素４を固定するように綴じ具Ｔを構成することも可能である。このようなものであれば、ベース２と、第１綴じ要素３及び第２綴じ要素４とを組み立てる際に、スパナ等の一般的な工具を用いるのみで容易に組み立てることが可能となる。
【００４８】
さらに、上記実施形態に示した綴じ具Ｔは綴じ穴を２つ有する書類等に対応したものであったが、本発明は書類等に設けた綴じ穴の数に限られるものではなく、支持板部に一対の綴じ要素を、３つ以上支持させているものとして、綴じ穴の数が３つ、又は４つ以上の仕様の綴じ具、及び当該綴じ具を具備するファイルを構成することも可能である。
【００４９】
加えて、ベースに形成される切欠部は、上記実施形態に示した開口部２４３のような開口のみに限定されるものではなく、一体の部材を部分的に切り欠いたものであればよい。例えば一体の部材の縁部に開放させるように切り欠いたスリットのようなものであっても、さらには一体の部材を厚み方向へ部分的に切り欠いた窪みを形成したようなものであっても良い。勿論、切欠部を設けなくとも本発明に係る綴じ具を構成することが可能である。
【００５０】
その他、各部の具体的構成についても上記実施形態に限られるものではなく、本発明の趣旨を逸脱しない範囲で種々変形が可能である。
【図面の簡単な説明】
【００５１】
【図１】本発明の実施形態に係る綴じ具を適用したファイルの一部を示す斜視図。
【図２】本発明の実施形態に係る板材を示す平面図。
【図３】本発明の実施形態に係る綴じ具を示す全体斜視図。
【図４】同平面図。
【図５】同底面図。
【図６】同綴じ具の閉塞状態及び開放状態を示す正面図。
【図７】同閉塞状態及び開放状態を示すＡ−Ａ線断面図。
【図８】本発明の実施形態の変形例を示す模式的な断面図。
【符号の説明】
【００５２】
１…表紙体
２…ベース
２ａ…一体の部材、１枚の板材（板材）
３…一方の綴じ要素（第１綴じ要素）
４…他方の綴じ要素（第２綴じ要素）
５…係止部
２０…支持板部
２０ａ…支持板部となるべき部分（支持板部形成領域）
２１…カバー部
２１ａ…カバー部にあたる部位（カバー部形成領域）
２１ｃ…挿通孔
２１ｄ…挿通孔（第１挿通孔）
２１ｅ…挿通孔（第２挿通孔）
２２…第１支持板
２３…第２支持板
２４…折曲部
２４ａ…折曲部となるべき部分（折曲部形成領域）
２４１…折曲箇所（第１折り曲げ線）
２４２…折曲箇所（第２折り曲げ線）
２４３…切欠部（開口部）
３１…先端部
３１ａ…鈎状部
３２、３２ａ…基端部
４１…先端部
４１ａ…鈎状部
４２、４２ａ…基端部
Ｆ…ファイル
Ｔ…綴じ具
Ｔ１…綴じ部材
【図１】
2005238615.tif 000003
【図２】
2005238615.tif 000004
【図３】
2005238615.tif 000005
【図４】
2005238615.tif 000006
【図５】
2005238615.tif 000007
【図６】
2005238615.tif 000008
【図７】
2005238615.tif 000009
【図８】
2005238615.tif 000010